(57)【要約】【課題】雨水等貯留設備の上面から、雨水等が溢れ出るのを防止し、雨水等貯留設備の上部地表面がぬかるんだり変形や水溜りを生じさせない雨水等貯留設備を提供する。【解決手段】雨水等貯留構造体１０は、地中に埋設されて雨水等貯留空間を構成し、遮水シート６０は、雨水等貯留構造体１０の上面を含む全周に設けられている。【選択図】      図１
2004360298.tif 000002
【特許請求の範囲】
【請求項１】
雨水等貯留構造体と、遮水シートとを含む雨水等貯留設備であって、
前記雨水等貯留構造体は、地中に埋設されて雨水等貯留空間を構成し、
前記遮水シートは、前記雨水等貯留構造体の上面を含む全周に設けられている雨水等貯留設備。
【請求項２】
請求項１に記載された雨水等貯留設備であって、
さらに空気流通孔を含み、
前記空気流通孔は、前記遮水シートを貫通して前記雨水等貯留構造体の上部と地表面とを連通する
雨水等貯留設備。
【請求項３】
請求項１または２に記載された雨水等貯留設備であって、
前記雨水等貯留構造体は、複数のユニット構造体を含み、
前記遮水シートは、袋状に形成され、一部に通水孔を含み、
前記複数のユニット構造体のそれぞれは、前記袋状に形成された前記遮水シートに収容され、前記通水孔を互いに対向させて、隣接して配置される
雨水等貯留設備。
【請求項４】
請求項１乃至３の何れかに記載された雨水等貯留設備であって、
前記雨水等貯留構造体は、複数の凹凸板を含み、
前記複数の凹凸板のそれぞれは、表面及び裏面において、条状の凹部及び凸部を交互に繰り返す板状部材である
雨水等貯留設備。
【請求項５】
請求項４に記載された雨水等貯留設備であって、
前記複数の凹凸板は、隣接する前記凹凸板の相対向面において、それぞれの前記凹部及び前記凸部が直交するように順次に組み合わされ、前記直交する部分で前記凸部が互に接触する部分を有する
雨水等貯留設備。
【請求項６】
請求項４または５に記載された雨水等処理設備であって、
前記雨水等貯留構造体は、さらに天板部と、底板部とを有し、
前記天板部と、前記底板部のそれぞれは、前記凹凸板の長さ方向の両端部に備えられている
雨水等貯留設備。
【請求項７】
請求項４または５に記載された雨水等処理設備であって、
前記凹凸板は、全周が側板部で覆われている
雨水等貯留設備。
【請求項８】
請求項４または５に記載された雨水等処理設備であって、
前記雨水等貯留構造体は、さらに少なくとも１つの通水孔を含み、
前記凹部及び凸部は、前記凹凸板の外郭形状に対し、少なくとも異なる二方向に斜行する波形形状部分を含み、
前記複数の凹凸板は、隣接する凹凸板が、その相対向面において、それぞれの前記凹部及び凸部が交差するように、順次に積層され、前記凸部の接触部において互いに結合されており、
前記少なくとも１つの通水孔は、前記複数の凹凸板を積層方向に貫通している雨水等貯留設備。
【発明の詳細な説明】
【０００１】
【発明の属する技術分野】
本発明は、雨水等処理設備に関し、さらに詳しくは、雨水等貯留設備に関する。
【０００２】
【従来の技術】
雨水等処理設備は、集水した雨水等の貯留施設として地中に埋設される雨水等貯留設備と、集水した雨水等を一時的に貯留してのち、地中に緩やかに浸透させて排出することにより、河川への急激な雨水等の流入を調整する目的や、地下水脈への浸透水量を確保し地盤沈下を抑止する目的で、地中に埋設される雨水等浸透設備との両者がある。上述した雨水等処理設備に関しては、従来より、種々のタイプのものが提案され、実用に供されている。
【０００３】
例えば、特許文献１は、複数の凹凸板と、通水孔とを含むハニカム構造体と、前記ハニカム構造体が地中に埋設され、前記ハニカム構造体の周囲に透水性保護層が設けられた雨水浸透設備、および、前記ハニカム構造体の周囲に遮水層が設けられた雨水貯留設備を開示している。
【０００４】
特許文献２は、複数の凹凸板を含むブロック状積層体と、前記ブロック状積層体が地中に埋設され、前記ブロック状積層体の周囲に透水層が設けられた雨水等浸透設備、および、前記ブロック状積層体の周囲に遮水層が設けられた雨水等貯留設備を開示している。
【０００５】
上述した従来技術では、いずれも、前記凹凸板の凹部と凸部とによって生ずる高低差で空隙を形成している。この空隙が雨水等の貯留空間となる。貯留空間の上部には、透水層を介して、あるいは介さずして、保護層が設けられる。保護層は通常、土、砂利、コンクリートまたはアスファルト等を含み、主に地表面からの押圧力または衝撃に耐えるとともに、設備内部への異物混入を防止する機能を有する。
【０００６】
しかし、上述した従来技術において、地中に埋設された前記ハニカム構造体および前記ブロック状積層体のいずれも、その上面側には遮水層が設けられていない。このため、雨水等貯留設備として用いた場合、雨水等の流入により、前記ハニカム構造体および前記ブロック状積層体の貯留空間における水位が上昇して満水状態に至ると、流入した雨水等は、前記ハニカム構造体および前記ブロック状積層体の貯留空間から溢れ出し、前記保護層の隙間に滲出する。溢れ出た雨水等は、前記保護層の隙間を介して地表面に向かっても滲出する。
【０００７】
このため、上述した従来技術を用いた雨水等貯留設備では、大量の雨水等が流入すると、前記保護層の土砂がぬかるんだり、流出して、地表面に変形や水溜りを生じさせる。このことは、前記保護層に求められる、地表面からの押圧力または衝撃に耐える機能をも低下させる。
【０００８】
【特許文献１】
特許第３３７５３３４号公報
【特許文献２】
特許第３３８３６６０号公報
【０００９】
【発明が解決しようとする課題】
本発明の課題は、雨水等貯留設備の上面から、雨水等が溢れ出るのを防止しうる雨水等貯留設備を提供することである。
【００１０】
本発明のもう一つ課題は、雨水等貯留設備の上部地表面がぬかるんだり変形や水溜りを生じさせない雨水等貯留設備を提供することである。
【００１１】
【課題を解決するための手段】
上述した課題を解決するため、本発明に係る雨水等貯留設備は、雨水等貯留構造体と、遮水シートとを含む。前記雨水等貯留構造体は、地中に埋設されて雨水等貯留空間を構成する。前記遮水シートは、前記雨水等貯留構造体の上面を含む全周に設けられる。
【００１２】
上述のように、本発明に係る雨水等貯留設備は、雨水等貯留構造体の上面を含む全周に遮水シートが設けられる。、このため、前記雨水等貯留構造体に雨水等が流入し、前記雨水等貯留構造体内の貯留空間における水位が上昇して満水状態に至っても、流入した雨水等は、前記遮水シートによって遮水されるので、前記雨水等貯留構造体の上面から溢れ出すことも、地表面に向かっても滲出することもない。従って、雨水等貯留設備の上部地表面がぬかるんだり、変形や水溜りを生じることがない。
【００１３】
本発明に係る雨水等貯留設備は、空気流通孔を含む構成とすることができる。前記空気流通孔は、前記遮水シートを貫通して前記雨水等貯留構造体の上部と地表面とを連通する構成をとり得る。この場合、前記空気流通孔は、前記雨水等貯留構造体に雨水等が流入した際、前記雨水等貯留構造体内の空気を外部に排出する。したがって、前記雨水等貯留構造体は内圧が上昇しないので、雨水等は前記雨水等貯留構造体に円滑に流入する。
【００１４】
本発明に係る雨水等貯留設備において、前記雨水等貯留構造体は、複数のユニット構造体を含む構成とすることができる。前記遮水シートは、袋状に形成され、一部に通水孔を含む構成とすることができる。この場合、前記複数のユニット構造体のそれぞれは、前記袋状に形成された前記遮水シートに収容され、前記通水孔を互いに対向させて、隣接して配置される。
【００１５】
このように構成された雨水等貯留設備は、前記袋状に形成された前記遮水シートに、前記ユニット構造体をあらかじめ収容し、これを設置現場まで運搬し、前記通水孔を互いに対向させて、前記ユニット構造体を隣接して配置する工法をとることができる。この工法によれば、雨水等貯留設備の設置現場において、前記遮水シートを設ける工程を省略できるので、簡単な作業で前記雨水等貯留構造体の上面を含む全周に前記遮水シートを設けた雨水等貯留設備得ることができる。
【００１６】
本発明は、更に雨水等貯留構造体の細部についても開示する。本発明の他の目的、構成及び利点については、添付図面を参照し、更に詳しく説明する。但し、添付図面は、単なる例示に過ぎない。
【００１７】
【発明の実施の形態】
図１は、本発明に係る雨水等貯留設備の一実施例を示す断面図、図２は図１に図示した雨水等貯留設備に用いるユニット構造体および袋状の遮水シートを示す斜視図である。
【００１８】
図示する雨水等貯留設備は、雨水等貯留構造体１０と、遮水シート６０とを含む。雨水等貯留構造体１０は、地中に埋設されて雨水等貯留空間を構成する。遮水シート６０は、雨水等貯留設備用構造体１０の上面を含む全周に設けられている。
【００１９】
本実施例に係る雨水等貯留設備は、さらに空気流通孔９０を含む。空気流通孔９０は、遮水シート６０を貫通して雨水等貯留構造体１０の上部と地表面とを連通する。
【００２０】
また、雨水等貯留構造体１０は、複数のユニット構造体１００を含む。ユニット構造体１００は複数の凹凸板２０を含み、凹凸板２０の凹部２２と凸部２１とによって生ずる高低差で空隙２５を形成している。この空隙２５が雨水等の貯留空間となる。
【００２１】
遮水シート６０は、例えばオレフィン系の樹脂シートが用いられ、蓋６１を備えた袋状に加工形成され、一部に通水孔６６を含んでいる。
【００２２】
複数のユニット構造体１００のそれぞれは、袋状に形成された遮水シート６０に収容され、蓋６１で閉じられて、必要に応じ接着剤等で水密封止される。遮水シート６０で全周が覆われたそれぞれのユニット構造体１００は、遮水シート６０の通水孔６６を互いに対向させて、設置穴４０内に隣接して配置される。
【００２３】
隣接するユニット構造体１００において、隣接する遮水シート６０同士は、接着剤等で互いに接着してもよい。接着部分は、隣接する遮水シート６０の全面であっても、対向する通水孔６６の周辺部分のみであってもよい。このように構成すれば、通水孔６６からの漏水を防止できる。
【００２４】
本実施例では、ユニット構造体１００を４列２段構成で配置して雨水等貯留構造体１０を構成しているが、上下、左右のみならず、縦横に積み重ねることができる。また、ユニット構造体１００を大規模に製造して、１つだけで雨水等貯留構造体１０を構成してもよい。図示する雨水等貯留構造体１０の設置姿勢は例示に過ぎない。
【００２５】
雨水等貯留構造体１０の上部は、通常、土、砂利、コンクリート、または、アスファルト等を含み、主に地表面からの押圧力、または、衝撃が雨水等貯留構造体１０に直接加わるのを緩和する保護層５０として機能する。
【００２６】
空気流通孔９０は、円筒体９１の一端にフランジ部９２を備えた中空体と、スリットを有する蓋体９５とを含んで構成され、雨水等貯留構造体１０の上部と地表面とを連通する。空気流通孔９０は、上段に配置された任意のユニット構造体１００の上面にフランジ部９２を接して配置される。円筒体９１は、遮水シート６０を貫通するとともに、保護層５０を介して地表面に至る。円筒体９１の他端は地表面に開孔する。
【００２７】
スリットを有する蓋体９５は、地表面に開孔した円筒体９１の他端にかぶせられ、雨水等貯留構造体１０の内部に対する異物混入を防止するとともに、雨水等貯留構造体１０と地表面との間の空気の流通を可能にする。空気流通孔９０の配置位置は、雨水等貯留構造体１０の上面に限らず側面であってもよい。また、フランジ部９２は、遮水シート６０における円筒体９１が貫通した周囲の部分と接着剤等で固着し水密封止してもよい。
【００２８】
流入管７０は、別異の装置で集水した雨水等を、雨水等貯留設備内に注入する機能を有する。流入管７０は、周知の方法により、雨水等貯留構造体１０に挿入されている。上述した流入管７０の配置によると、雨水等は雨水等貯留構造体１０の内部を三次元方向に拡散しつつ円滑に流入する。
【００２９】
図示する雨水等貯留設備は、排水装置８０を含む。排水装置８０は、流出管８１と、吸水口８２と、排水管８３とを含む。排水装置８０は、周知の排水桝、または、マンホールを含み、これらは当該技術分野において周知の技術であるから詳細は省略する。流出管８１は、周知の方法により、雨水等貯留構造体１０に挿入されている。流出管８１には、排水装置８０の内部側に、好ましくは、小孔オリフィス等を設けることで、雨水等貯留構造体１０からの雨水等の流出量を調整する。排水管８３は、一端側において吸水口８２と連続しており、他端側においてポンプ等の駆動装置に接続されている。
【００３０】
流入管７０から矢印Ｍで示す方向に流れ込んだ雨水等は、雨水等貯留構造体１０の内部に貯留される。雨水等等貯留構造体１０の内部に貯留された雨水等は、必要に応じ流出管８１を通して、矢印Ｍで示す方向に排水装置８０の内部へ送られる。排水装置８０の内部に送られた雨水等は、吸水口８２から排水管８３の内部を、矢印Ｍで示す方向に吸い上げられ、外部に排出される。
【００３１】
上述のように、本実施例に係る雨水等貯留設備は、雨水等貯留構造体１０の上面を含む全周に遮水シート６０が設けられ、遮水シート６０を貫通して空気流通孔９０が雨水等貯留構造体１０の上部と地表面とを連通する。このため、雨水等貯留構造体１０に雨水等が流入した際、雨水等貯留構造体１０内の空気は空気流通孔９０を介して外部に排出される。したがって、雨水等貯留構造体１０の内圧が上昇しないので、雨水等は雨水等貯留構造体１０に円滑に流入する。
【００３２】
さらに、雨水等貯留構造体１０内の貯留空間における水位が上昇して満水状態に至っても、流入した雨水等は、遮水シート６０によって遮水されるので、雨水等貯留構造体１０の上面から溢れ出すことも、保護層５０を介して地表面に向かっても滲出することもない。このため、雨水等貯留設備の上部地表面がぬかるんだり変形や水溜りを生じることがない。
【００３３】
本実施例の雨水等貯留構造体１０は、複数のユニット構造体１００で構成される。遮水シート６０は、袋状に形成され、一部に通水孔６６を含む構成である。複数のユニット構造体１００のそれぞれは、袋状に形成された遮水シート６０に収容され、通水孔６６を互いに対向させて、隣接して配置される。
【００３４】
このように構成された本実施例に係る雨水等貯留設備は、袋状に形成された遮水シート６０に、あらかじめ、ユニット構造体１００を収容し、これを設置現場まで運搬し、通水孔６６を互いに対向させて、ユニット構造体１００を隣接して配置する工法をとることができる。この工法によれば、雨水等貯留設備の設置現場において、遮水シート６０を雨水等貯留構造体１０の全周に設ける工程を省略できるので、設置現場での作業を簡略化できる。
【００３５】
次に、図３以降を参照して本発明に係る雨水等貯留設備に用いる雨水等貯留構造体の細部について説明する。これらの雨水等貯留構造体は、ユニット構造体としても用いることができる。
【００３６】
図３は本発明に係る雨水等貯留構造体の一実施例を示す斜視図、図４は図３に示した雨水等貯留構造体の平面図、図５は図３に示した雨水等貯留構造体の側面図、図６は図３に示した雨水等貯留構造体の正面図である。図中の矢印Ｘは雨水等貯留構造体の縦方向を示し、同様に、矢印Ｙは横方向を示し、矢印Ｚは高さ方向を示す。
【００３７】
図３乃至図６に示す雨水等貯留構造体は、複数の凹凸板２０を含む。複数の凹凸板２０のそれぞれは、表面及び裏面において、条状の凹部２２、及び、凸部２１を交互に繰り返す板状部材である。複数の凹凸板２０は、隣接する凹凸板２０の相対向面において、それぞれの凹部２２及び凸部２１が、直交するように順次に組み合わされ、直交する部分で凸部２１が互に接触する接触部２３を有する。
【００３８】
より詳細に説明すると、凹凸板２０は、表面及び裏面において条状の凹部２２、及び、凸部２１を交互に連続して繰り返す断面波形形状であって、表面側の凸部２１は、裏面側においては凹部２２となる。複数の凹凸板２０において、凸部２１、及び、凹部２２は、隣接する２つの凹凸板２０の接触面を基準にして、接触面上にある部分を凸部２１とし、接触面よりも凹凸板２０の方向に後退する部分を凹部２２とする。
【００３９】
図示する凹凸板２０において、凸部２１、及び、凹部２２の断面波形形状は、凹凸板２０の外郭形状の一辺に対し、平行する直線部分を含む。直線部は、凸部２１、及び、凹部２２とともに条状に延びている。
【００４０】
凹凸板２０の断面波形形状は、凹凸板２０の外郭形状と区別される内部構造である。凹凸板２０は、断面波形形状のピッチ数や、ピッチ間隔等に制約されることなく、外郭形状を任意に設定できる。例えば、図示する凹凸板２０の外郭形状は略正方形形状であるが、長方形形状や、多角形形状を採ることもできる。
【００４１】
さらに、複数の凹凸板２０の直交構造も、雨水等貯留構造体の外郭形状と区別される内部構造である。凹凸板２０を組み合わせて成形される雨水等貯留構造体の外郭形状は、凹凸板２０の断面波形形状によっては決定されない。むしろ、凹凸板２０の外郭形状を任意に設定することで、雨水等貯留構造体の外郭形状は、正六面体状や、直方体状等、具体的な設置場所に適した任意の外郭形状に設定することができる。
【００４２】
図示する雨水等貯留構造体において、複数の凹凸板２０の各凸部２１間が互に接触する接触部２３には、結合部を設けることができる。結合部は、隣接する２つの凹凸板２０を結合する。結合部としては、ビス止め等の機械的機構によるほか、熱溶着による結合、接着材等による結合等を任意に選択することができる。また、それらの結合部を併用してもよい。
【００４３】
一方、各凹部２２間には、凸部２１と凹部２２とによって生ずる高低差により、空隙２５が成形される。空隙２５は、雨水等の貯留空間として機能する。
【００４４】
図示する凹凸板２０は、好ましくは、条状にのびる凹部２２に梁部２４を有する。梁部２４は、凸部２１から伸びる少なくとも一側面と、凹部２２とを連結し、凹凸板２０に優れた構造的一体性を確保している。即ち、梁部２４は、主に、凹凸板２０、及び、それら凹凸板２０により構成される雨水等貯留構造体の機械的強度を高める補強部分である。従って、梁部２４の規模、設置数、及び、設置場所は、設計的事項に属する。
【００４５】
図示する複数の凹凸板２０のそれぞれは、好ましくは通水孔２６を含む。図示する通水孔２６は、円形状の貫通孔であって、凸部２１または凹部２２を挟んで両側面それぞれに上下に２つ設けられているが、例示に過ぎない。通水孔２６の孔形状、設置位置、及び、設置数は、設計的事項である。
【００４６】
通水孔２６を設けることにより、雨水等が、複数の空隙２５の相互間をより自由に流動するから、雨水等の貯留空間全体の水位が均一化し、貯水効率が向上する。
【００４７】
複数の凹凸板２０のそれぞれは、成形容易性、及び、組み立て容易性の観点から、好ましくは合成樹脂材料が用いられる。用いられる合成樹脂材料としては、ポリプロピレン（ＰＰ）、またはポリ塩化ビニル（ＰＶＣ）等が一般的である。例えば、熱溶着性を有する合成樹脂材料を用いて凹凸板２０を成形した場合、通水孔２６や、接触部２３に結合部を成形する場合、熱コテ等を利用することができる。
【００４８】
これに対し、熱溶着性を有しない合成樹脂材料を用いて凹凸板２０を成形した場合でも、接触部２３にビス止め機構を配置し、接着剤等を塗布することで、結合部を成形することができる。また、先端部が鋭利な穴あけ工具等を使用して通水孔２６を成形することもできる。
【００４９】
上述のように、複数の凹凸板２０のそれぞれは、表面及び裏面において、条状の凹部２２及び凸部２１を交互に繰り返す板状部材であるから、優れた機械的強度を有する。また、凹凸板２０は、好ましくは合成樹脂材料で成形され、条状の凹部２２、及び、凸部２１を交互に繰り返す構造であるから、製造加工を容易、且、迅速に実行しうる。従って、それら凹凸板２０を含む雨水等貯留構造体は、製造加工を容易、且、迅速に実行しうるとともに、優れた機械的強度を有する。
【００５０】
雨水等貯留構造体は、構成部材たる凹凸板２０それ自体が優れた機械的強度を有することにより、軽量な薄板構造で形成することができる。従って、雨水等貯留設備において構造体の占拠率を低減することができるから、雨水等の貯留空間の有効利用を図ることができる。また、凹凸板２０を軽量な薄板構造で形成することができるから、雨水等貯留構造体の組み立て作業を容易に実行できる。
【００５１】
凹凸板２０は、表面及び裏面において、条状の凹部２２及び凸部２１を交互に繰り返す板状部材である。従って、凹部２２及び凸部２１を同一ピッチで成形することにより、条状の凹部２２及び凸部２１が同一方向を向くように位置決めすれば、複数の凹凸板２０を相互に密着して重ね合わせることができる。従って、嵩を縮小し、複数の凹凸板２０の運搬作業を容易に実行できる。
【００５２】
図示する凹凸板２０には、好ましい例として、凸部２１、凹部２２、及び、凹凸板２０の端縁には、条状にのびる直線部が含まれている。凸部２１、凹部２２、及び、凹凸板２０の端縁は、凹凸板２０において、土圧等の押圧力が集中しやすい部位である。これ等の箇所に条状にのびる直線部を成形することで、土圧等の押圧力が一点に集中することを防止し、辺全体、及び、面全体で押圧力に対抗することができる。従って、それら凹凸板２０を含む雨水等貯留構造体は、優れた機械的強度を有する。
【００５３】
また、凸部２１、凹部２２、及び、凹凸板２０の端縁が、条状にのびる直線部を有することで、隣接する凹凸板２０を直交して組み合わせた場合に、凸部２１が互に接触する接触部２３を広く確保することができる。
【００５４】
図示実施例に係る雨水等貯留構造体は、おのおの隣接する凹凸板２０の相対向面において、それぞれの凹部２２、及び、凸部２１が、直交するように順次に組み合わされており、凸部２１の直交する部分が多数発生する。凸部２１の直交する部分は接触部２３を含み、接触部２３には結合部を設けることができる。従って、雨水等貯留構造体は、優れた機械的強度を有することができる。また、上述した構造によると、例えば、矢印Ｙで示す方向から加えられる土圧等の押圧力を、複数の接触部２３により、分散して支持することができるから、接触部２３が結合部を有しなかったとしても、雨水等貯留構造体は、優れた耐圧性、機械的強度を確保し得る。
【００５５】
複数の凹凸板２０が直交して組み合わされている構造によると、土圧等の押圧力に対抗する方向を多様化できる。即ち、雨水等貯留構造体は、少なくとも矢印Ｚ及び矢印Ｘで示す２方向から加えられる土圧等の押圧力に対抗することができるから、優れた機械的強度を確保し得る。
【００５６】
図示する雨水等貯留構造体には、凸部２１と凹部２２とによって生ずる高低差により、各凹部２２間に空隙２５が多数、または、広く成形し得る。各空隙２５は、雨水等の貯留空間として使用することができるから、雨水等貯留構造体によると、雨水等の貯留空間を広く確保することができる。
【００５７】
更に、凸部２１の直交する部分以外には接触部２３を有しないから、雨水等貯留構造体の空隙２５の内部に流入した雨水等は、連続する各凹部２２間の各空隙２５を通じて容易に流動しうる。従って、この種の構造体を含む雨水等貯留設備において、完全に区画された構造を有する区画枠体を使用する従来技術に比べ、実質的に雨水等の貯留空間を広く確保することができる。
【００５８】
雨水等貯留構造体は複数の凹凸板２０の組み合わせ構造であるから、雨水等貯留設備に用いる場合に、凹凸板２０の使用枚数を適宜増減し、更には、凹凸板２０自体の寸法等を適宜設定することにより、多様な施工条件において平面積、及び、容積の違いに容易に追従できる。図３乃至図６において、雨水等貯留構造体は、３枚の凹凸板２０の組み合わせで示されているが、例示に過ぎない。
【００５９】
図７は更に面板部材３０を含む雨水等貯留構造体の斜視図、図８は図７に示した雨水等貯留構造体の平面図、図９は図７に示した雨水等貯留構造体の側面図である。図３乃至図６に示した構成部分と同一の構成部分については、同一の参照符号を付し、重複説明は省略する。図７乃至図９に示す雨水等貯留構造体は、図３乃至図６に示した雨水等貯留構造体を２つ含み、６枚の凹凸板２０を順次組み合わせた構造を有する。そして、図示実施例では、更に、面板部材３０を含む。
【００６０】
図１０は図７に示した雨水等貯留構造体について、さらに面板部材を含む分解構造図、図１１は図１０に示す面板部材の斜視図、図１２は図１１に示した面板部材の正面図、図１３は図１１に示した面板部材の側面図である。
【００６１】
まず、面板部材の構造について、図１１を参照すると、面板部材３０は平板状であって、突片３１が８個設けられている。突片３１のそれぞれは、貫通孔３２を挟んで２つ一組となるように配置されている。
【００６２】
図示する貫通孔３２は、円形状であって、凸部２１もしくは凹部２２を挟んで面板部材３０の面内に等間隔に４つ設けられているが、例示に過ぎない。貫通孔３２の孔形状、設置位置、及び、設置数は、設計的事項である。
【００６３】
図１２及び図１３に示した面板部材３０において、突片３１は、一面上にのみ設けられている。図１２及び図１３に示す面板部材３０は、上下反転して使用することで、図１０に示す天板部材３７、又は、底板部材３８として使用することができる。
【００６４】
次に、複数の凹凸板と、面板部材との組み合わせについて説明する。図７に示すように、複数の凹凸板２０は、面板部材３０上に配置されると、複数の凹凸板２０の端面と、面板部材３０との相対向面において、突片３１が凹部２２内に配置され、複数の凹凸板２０を保持する（図８参照）。
【００６５】
複数の凹凸板２０は、通常、上下端面が同一構造をとることができる。面板部材３０を二枚使用し、一方を上下反転して天板部材３７、及び、底板部材３８として用いた場合、それぞれの複数の突片３１が相対向するように配置し、それぞれに備えられた複数の突片３１により、組み合わせに係る複数の凹凸板２０を上下方向から挟持することができる。
【００６６】
上述のように、雨水等貯留構造体が面板部材３０を含む構造であると、面板部材３０を荷重受け面として機能させ、沈みこみを防止することができる。
また、面板部材３０を荷重受け面として機能させ、複数の凹凸板２０を、容易に、且、安定して、垂直方向に積み重ねることができる。雨水等貯留構造体は、面板部材３０を含むことにより、その組み立て作業を容易、且、安定して実行することができる。
【００６７】
また、複数の凹凸板２０が面板部材３０の突片３１により保持される構造によると、雨水等貯留構造体の構造的一体性を向上することができるから、雨水等貯留構造体を安定して雨水等貯留設備内に設置することができる。また、雨水等貯留構造体の組み立て作業を容易に実行することができる。
【００６８】
図１０には示されていないが、雨水等貯留構造体の全周を板状部材で覆うこともできる。
【００６９】
図１４は図１１に示した面板部材の異なる実施例を示す正面図、図１５は図１４に示した面板部材の側面図である。図１４及び図１５に示す面板部材の基本的構造は、図１２及び図１３に示した面板部材と同一である。但し、図１４及び図１５に示す面板部材は、上下両面側に複数の突片３１を有する。
【００７０】
上述したように、複数の凹凸板２０は、通常、上下端面が同一構造をとることができる。そして、通常、雨水等貯留設備には複数の凹凸板２０もしくは複数の雨水等貯留構造体が縦横、左右、上下に連接して用いられる。
【００７１】
図１４乃び図１５に示す面板部材は、中間板部材であって、表面及び裏面に複数の突片３１を備え、複数の雨水等貯留構造体が上下に連接された場合に、天板部材３７と底板部材３８との間において使用され、天板部材３７と、底板部材３８を兼用する。即ち、中間板部材を使用することで、天板部材３７と底板部材３８との重複を防止することができる。従って、部材数を削減して、雨水等の貯留空間を広く確保しうるとともに、雨水等貯留構造体の設置工程、雨水等貯留設備の施工工程を簡略化することができる。
【００７２】
また、図１４乃び図１５に示す面板部材によると、雨水等貯留構造体が相互的に共有部分を有することとなる。その結果、雨水等貯留構造体の有機的一体性を向上することができるから、雨水等貯留構造体を安定して設置し、且、優れた機械的強度を確保することができる。
【００７３】
図１４乃び図１５に示す面板部材は、貫通孔３２を有するから、雨水等貯留構造体の内部における、垂直方向への雨水等の流動が容易に行なわれる。従って、この種の雨水等貯留構造体を含む雨水等貯留設備において、完全に区画された構造を有する区画枠体を使用する従来技術に比べ、実質的に雨水等の貯留空間を広く確保することができる。
【００７４】
図１６は本発明に係る雨水等貯留設備に用いる凹凸板２０の他の実施例を示す斜視図、図１７は図１６に示した凹凸板２０の正面図、図１８は図１６に示した凹凸板２０の側面図である。
【００７５】
図３乃至図１０に示す凹凸板２０と、図１６乃至図１８に示す凹凸板２０とは、ともに表面及び裏面において、条状の凹部２２、及び、凸部２１を交互に繰り返す板状部材である点で共通するから、重複説明は省略する。
【００７６】
図１６乃至図１８に示した凹凸板２０は、さらに、条状の凹部２２、及び、凸部２１の両端面に天板部２７と、底板部２８とを有する点で、図３乃至図１０に示した凹凸板２０と相違点がある。以下、相違点について説明する。
【００７７】
図示する凹凸板２０は、さらに、天板部２７と、底板部２８とを有する。天板部２７と、底板部２８のそれぞれは、凹凸板２０の長さ方向の両端縁に備えられ、凹部２２、及び、凸部２１を連結する。従って、雨水等貯留構造体もしくはユニット構造体に用いて、構造的一体性が向上し、さらに優れた機械的強度を有することができる。
【００７８】
また、天板部２７と、底板部２８のそれぞれは、凹凸板２０の長さ方向の両端縁に備えられ、凹部２２、及び、凸部２１を連結するから、凹凸板２０を複数使用し、雨水等貯留設備を構成した場合に、上述した面板部材３０を用いることなく、安定して設置することができる。即ち、雨水等貯留構造体の取り扱い、及び、組み立て作業が容易にできる。
【００７９】
更に、図示する雨水等貯留構造体によると、雨水等貯留設備に配置する場合の配置工程が容易に実行できるようになる。即ち、図３乃至図１０に示した雨水等貯留構造体においては、雨水等貯留構造体の設置場所に、面板部材３０を適切に配置しうることが重要である。設置穴４０の規模は、面板部材３０の表面積を考慮して設定する必要があり、場合によっては現場で微調整を強いられる不都合が生じる点で、必ずしも付設工事が容易ではない。
【００８０】
これに対し、図１６乃至図１８に示す凹凸板２０によると、面板部材３０が凹凸板２０と一体化しているから、設置面積の小さい凹凸板２０、もしくは、それら凹凸板２０を組み合わせた雨水等貯留構造体の配置は、設置穴４０における設置作業、及び、設置に係る微調整を容易に実行することができる。
【００８１】
図１９は図１６乃至図１８に示した凹凸板２０を含む雨水等貯留構造体の斜視図、図２０は図１９に示した雨水等貯留構造体の平面図、図２１は図１９に示した雨水等貯留構造体の側面図である。図１９乃至図２１に示した雨水等貯留構造体ついて、図３乃至図１０に示した雨水等貯留構造体と重複する説明は省略する。
【００８２】
図示する雨水等貯留構造体は、図１６乃至図１８に示した凹凸板２０を複数含む。複数の凹凸板２０は、隣接する凹凸板２０の相対向面において、それぞれの凹部２２、及び、凸部２１が直交するように順次に組み合わされ、直交する部分で凸部２１が互に接触する接触部２３を有する。従って、図１９乃至図２１に示す雨水等貯留構造体は、図１６乃至図１８に示す凹凸板２０と同様の施工容易性を有する。一方、図１９乃至図２１に示す雨水等貯留構造体においては、別個に面板部材３０を必要としないから、複数の凹凸板２０の組み合わせ枚数を設定すると同時に、設置場所への適当な面積の範囲内に調整することができる。
【００８３】
また、凹凸板２０は天板部２７、及び、底板部２８を有することで優れた構造的一体性を有するから、その様な凹凸板２０を複数含む雨水等貯留構造体は、優れた機械的強度を有する。
【００８４】
図２２は図１９乃至図２１に示した雨水等貯留構造体の別の実施例を示す斜視図、図２３は図２２に示した雨水等貯留構造体の平面図、図２４は図２２に示した雨水等貯留構造体の側面図である。
【００８５】
図２２乃至図２４に示す雨水等貯留構造体は、図１６乃至図１８に示す凹凸板２０を含む。複数の凹凸板２０は、隣接する凹凸板２０の相対向面において、それぞれの凹部２２、及び、凸部２１が平行するように順次に組み合わされ、凸部２１が互に接触する部分２３を有する構造を有する。
【００８６】
図２２乃至図２４に示す雨水等貯留構造体のように、隣接する凹凸板２０の相対向面において、それぞれの凹部２２、及び、凸部２１が平行するように順次に組み合わせる構造によると、隣接する２つの凸部２１の接触する部分２３を広く確保することができる。
【００８７】
接触する部分２３には結合部を設けることができるから、直交構造に比べ雨水等貯留構造体により強固な機械的強度を確保することができるとともに、組み立て工程、特に接触する部分２３に結合部を設ける工程を効率よく行うことができる。即ち、図１６乃至図１８に示す凹凸板２０を用いて、図２２乃至図２４に示す雨水等貯留構造体を構成した場合、順次に組み合わされていても適当な機械的強度をうることができるとともに、施工効率を向上することができる。
【００８８】
より詳細に説明すると、まず、隣接する２つの凹凸板２０を、断面波形形状の頂点部を左右反転して、凸部２１が平行するように配置する。そして、好ましくは、接触する部分２３で、結合部により、凹凸板２０を保持する。結合部としては、例えば、ビス止め、接着剤、熱溶着、凹凸嵌合等を適宜選択することができる。
【００８９】
但し、必ずしも接触する部分２３に結合部を設ける必要はない、例えば、後述する面板部材３０に取付け溝等を設けるなどして、複数の凹凸板２０相互間に敢えて結合部を設けない構造をとることもできるし、複数の凹凸板２０を一定数組み合わせて後に、外周から、タガ状体や枠状体等による締め付けにより、一体的な雨水等貯留構造体を成形してもよい。
【００９０】
図２５は、図１６乃至図２４に示した凹凸板２０、もしくは雨水等貯留構造体を含む雨水等貯留設備の断面図である。図２５に示す雨水等貯留設備において、図１に示す雨水等貯留設備と重複する内容には同一符号を付し、説明は省略する。
【００９１】
図２５に示す雨水等貯留設備は、図１６乃至図１８に示す凹凸板２０、もしくは図１９乃至図２４に示す雨水等貯留構造体を含む点に特徴がある。従って、上述した凹凸板２０、及び、雨水等貯留構造体の利点をすべて含む雨水等貯留設備を提供することができる。
【００９２】
本実施例の遮水シート６０は図２５に示すように、雨水等貯留構造体１０の上面を含む外周の全周に設けられている。遮水シート６０の形態は種々の形態をとり得ることができ、例えば、個々の凹凸板２０でユニット構造体１００もしくは雨水等貯留構造体１０を構成し、袋状に形成された遮水シート６０に収容しても良く、また、図１９乃至図２４に示す如く、複数の凹凸板２０を所定数組み合わせて、ユニット構造体１００もしくは雨水等貯留構造体１０を構成し、これを袋状に形成された遮水シート６０に収容してもよい。
【００９３】
図２６は本発明に係る更に別の雨水等貯留構造体を示す斜視図、図２７は図２６に示した雨水等貯留構造体の一部分解構造図、図２８は図２６に示した雨水等貯留構造体の別の実施例を示す一部分解構造図である。
【００９４】
図２６乃至図２８に示す雨水等貯留構造体は、図３乃至図１０に示す凹凸板２０、及び、図１６乃至図１８に示す凹凸板２０と同様に、表面及び裏面において、条状の凹部２２、及び、凸部２１を交互に繰り返す板状部材を含む点で共通する。この構造は、前述した凹凸板２０と同様であるから、重複説明は省略する。
【００９５】
図２６乃至図２８に示した雨水等貯留構造体、及び、凹凸板は、周囲が側板部２９で覆われている点で、図３乃至図２４に示した凹凸板２０、又は、雨水等貯留構造体と相違点がある。以下、相違点について説明する。
【００９６】
図２６乃至図２８に示す雨水等貯留構造体の特徴について、凹凸板は、全周が側板部２９で覆われている。従って、雨水等貯留構造体を複数使用し、雨水等貯留設備を構成した場合に、上述した面板部材３０を用いることなく、安定して設置することができる。即ち、取り扱い、及び、組み立て作業が容易にできる。
【００９７】
また、当該雨水等貯留構造体の特徴について、凹凸板は、全周が側板部２９で覆われているから、図１６乃至図１８に示す凹凸板よりも更に構造的な一体性に優れ、優れた機械的強度を有することができる。
【００９８】
側壁部２９は、一体成形された枠状体であってよいし、４枚の板状部材を組み合わせた構造であってもよい。
【００９９】
上述した凹凸板を含む雨水等貯留構造体の具体的構造については、実施例として図２７と、図２８とが示されている。
【０１００】
図２７に示す雨水等貯留構造体においては、複数の凹凸板は、隣接する凹凸板の相対向面において、それぞれの凹部２２、及び、凸部２１が直交するように順次に組み合わされ、直交する部分で凸部２１が互に接触する接触部を有する。複数の凹凸板の相互関係について、それぞれの凹部２２、及び、凸部２１が直交するように、順次に組み合わされている構造によると、土圧等の押圧力に対抗する方向を多様化できるから、機械的強度はさらに優れたものとなる。
【０１０１】
一方、図２８に示す雨水等貯留構造体においては、複数の凹凸板は、隣接する凹凸板の相対向面において、それぞれの凹部２２、及び、凸部２１が平行するように順次に組み合わされ、凸部２１が互に接触する接触部を有する。上述のように、凹凸板は、全周が側板部２９で覆われており、優れた構造的一体性、及び、機械的強度を有するから、複数の凹凸板を用いて、隣接する凹凸板の相対向面において、それぞれの凹部２２、及び、凸部２１が平行するように、順次に組み合わされていても適当な機械的強度をうることができるとともに、施工効率を向上することができる。
【０１０２】
図２９は本発明に係る雨水等貯留設備に用いる雨水等貯留構造体の一部を省略した斜視図、図３０は図２９に示す雨水等貯留構造体の正面図、図３１は図２９に示す雨水等貯留構造体の平面図である。図２９乃至図３１を参照すると、雨水等貯留構造体は、複数の凹凸板２０と、複数の通水孔２６とを含むブロック状積層体である。
【０１０３】
複数の凹凸板２０のそれぞれは、表面及び裏面において、条状の凹部２２及び凸部２１を交互に繰り返す板状部材である。表面側の凸部２１は、裏面側においては凹部２２となる。
【０１０４】
凹部２２及び凸部２１は波形形状であって、凹凸板２０の外郭形状に対し、異なる二方向にＶ字状に斜行している。斜行角度は、好ましくは１０〜４５度の範囲で設定される。
【０１０５】
図示する波形形状は、凹凸板２０の外郭形状の一辺に対し平行する直線部を含む。直線部は、好ましくは、土圧等の押圧力が集中しやすい波形形状の頂点部や両端部等に形成される。
【０１０６】
凹凸板２０には、合成樹脂材料を用いることができる。用いられる合成樹脂材料としては、ポリプロピレン（ＰＰ）や塩化ビニル（ＰＶＣ）等が一般的である。
【０１０７】
上述した構造を有する凹凸板２０は、製造加工を容易、且、迅速にできるとともに、優れた機械的強度を有する。また、凹凸板２０は、通常、薄板構造で形成されるから、後述する貯留空間の有効利用が図れる。
【０１０８】
図示する雨水等貯留構造体において、複数の凹凸板２０は、隣接する２つの凹凸板２０の相対向面において、それぞれの凹部２２及び凸部２１が交差し、矢印Ｚで示す方向に積層されている。
【０１０９】
より詳細に説明すると、図示する雨水等貯留構造体は、隣接する２つの凹凸板２０ａと、凹凸板２０ｂとを含む。凹凸板２０ａは、その上に、凹凸板２０ｂが、波形形状の頂点部を左右反転して配置され、凹凸板２０ａの凸部２１と、凹凸板２０ｂの凸部２１とが交差するように積層されている。上述した凹凸板２０ａ、２０ｂの反転積層構造は、他の隣接する凹凸板相互間でも同様に展開されている。即ち、雨水等貯留構造体は、複数の凹凸板２０が、上述した積層構造を適宜繰り返すことにより、隣接する２つの凹凸板２０が、矢印Ｚで示す方向に対し連続して交互に反転し、積層されている構造を有する。
【０１１０】
雨水等貯留構造体は、上述した交差部分において、凸部２１が相互に接触する接触部２３を有する。なお、隣接する２つの凹凸板２０において、凸部２１及び凹部２２は、接触部２３を基準にして、接触面上にある部分を凸部２１とし、接触面よりも凹凸板２０の方向に後退する部分を凹部２２とする。
【０１１１】
各凸部２１間の接触部２３は結合構造を含み、隣接する凹凸板２０を結合している。例えば、凹凸板２０ａの凸部２１と、凹凸板２０ｂの凸部２１との接触部２３には、それぞれ結合構造が設けられており、前記結合構造により凹凸板２０ａ、２０ｂが結合されている。
【０１１２】
接触部２３に設けられる結合構造は、例えば、凹凸板２０が、ポリプロピレン（ＰＰ）等の熱溶着性を有する合成樹脂材料を含む場合には、熱コテ等を利用して隣接する２つの凹凸板２０を一部溶解し、相互に熱溶着する結合構造をとることができる。凹凸板２０が、塩化ビニル（ＰＶＣ）等の熱溶着性を有しない合成樹脂材料を含む場合には、接触部２３に接着剤等を塗布する等の結合構造をとることができる。
【０１１３】
一方、凸部２１の接触部２３以外には結合構造が設けられていないから、雨水等貯留構造体の内部において、隣接する２つの凹凸板２０の相互間には、非接触領域が多く形成されている。この点については、図３２乃至図３４で詳細に説明する。
【０１１４】
他方、各凹部２２間には、凸部２１と凹部２２とによって生ずる高低差により、空隙２５が形成される。空隙２５は雨水等の貯留空間である。
【０１１５】
雨水等貯留構造体は、少なくとも１つの通水孔２６を有する。通水孔２６は、雨水等貯留構造体を矢印Ｚで示す積層方向に貫通し、好ましくは雨水等貯留構造体の両端面に開口している。なお、図２９で示す通水孔２６の内部端面には、凹凸板２０の積層構造が断面形状として現れることとなるが、図面の表現上は省略している。
【０１１６】
上述した構造を有する雨水等貯留構造体は、機械的強度に優れた凹凸板２０を用い、且、凹部２２及び凸部２１が交差して結合されている構造により、土圧等の押圧力に対抗する方向を複数有するから、優れた機械的強度を有する。
【０１１７】
また、凹凸板２０は、通常、薄板構造で形成されているから、それらを含む雨水等貯留構造体が、後述する雨水等処理設備に用いられた場合に、貯留空間の有効利用が図れる。
【０１１８】
図示実施例において雨水等貯留構造体を構成する凹凸板２０は、平面波形形状を有するから、凹凸板２０を左右反転して積層した場合、凸部２１の交差部分が多数発生する。凸部２１の交差部分は接触部２３であって、接触部２３は結合構造を有することができるから、雨水等貯留構造体は優れた機械的強度を有することができる。
【０１１９】
また、凹凸板２０は、平面波形形状を有するから、凸部２１が交差するように積層した場合、凸部２１と凹部２２とによって生ずる高低差により、空隙２５も多数発生する。従って、雨水等貯留構造体は、広い雨水等の貯留空間を有する。
【０１２０】
さらに、凸部２１の接触部２３以外には結合構造が設けられていない。このような非接触領域は、隣接する２つの凹凸板２０の相互間に広く形成されている。雨水等貯留構造体が非接触領域を広く含む構造によると、各空隙２５の内部に流入した雨水等は、矢印Ｘ及びＹで示す同一平面方向に隣接する他の空隙２５へ、容易に移動することができる。従って、この雨水等貯留構造体によると、限られた貯留空間を効率的に広く利用することができる。
【０１２１】
本発明に係る雨水等貯留構造体は、少なくとも１つの通水孔２６を有する。図示する通水孔２６は、複数の凹凸板２０の積層方向Ｚに貫通している。上述した構造によると、各空隙２５内部に流入した雨水等は、通水孔２６を通じて矢印Ｚで示す積層方向に容易に移動し、積層方向に隣接する他の空隙２５へ、容易に流動することができる。従って、この雨水等貯留構造体によると、完全に区画された構造体を使用する従来技術に比べ、限られた貯留空間を効率的に広く利用することができる。
【０１２２】
凹凸板２０の波形形状は、凹凸板２０の外郭形状と区別される内部構造である。従って、凹凸板２０を積層して形成される雨水等貯留構造体の外郭形状は、波形形状のピッチ数や、ピッチ間隔等に制約されることなく、具体的な設置場所に適するように設定し得る。例えば、雨水等貯留構造体の外郭形状は、正六面体や、直方体さらには台形形状等に設定することができる。
【０１２３】
同様に、雨水等貯留構造体は凹凸板２０を積層して形成される構造であるから、凹凸板２０の積層枚数や、凹凸板２０自体の寸法等を適宜設定することにより、多様な施工条件において平面積及び容積の違いに容易に追従できる。図１及び図３において、雨水等貯留構造体は、凹凸板２０を１２枚使用した雨水等貯留構造体として図示されているが、例示に過ぎない。
【０１２４】
図示する凹凸板２０は、好ましい例として直線部を含む。直線部における凸部２１の接触部２３は、交差部分の接触部２３より面積が広くなる。従って、雨水等貯留構造体において、直線部には結合強度の高い結合構造を設けることができる。
【０１２５】
図３２は図３１の４−４線に沿った断面図、図３３は図３１の５−５線に沿った断面図、図３４は図３１の６−６線に沿った断面図である。より詳細に説明すると、図３２は接触部２３の中心軸線で切断した場合の断面図、図３３は接触部２３の端部で切断した場合の断面図、図３４は接触部２３以外の部分で切断した場合の断面図である。
【０１２６】
図３２乃至図３４を参照すると、例えば、凹凸板２０ａの上に、凹凸板２０ｂを、波形形状の頂点部を左右反転して、凸部２１が交差するように配置されている。
【０１２７】
雨水等貯留構造体は、凹部２２及び凸部２１が交差するように積層した場合、交差部分において、接触部２３のそれぞれが完全に密着し、図３２に示すように、切断端面に、ハニカム状の開口形状が現れるが、接触部２３から遠ざかるに従って非接触領域が増え、切断端面でみた開口形状が、図３３に示すように、ハニカム形状を崩してしてゆき、図３４に示すように、平行な開口を積層したような形状に変化する。
【０１２８】
これら開口形状の変化は、雨水等貯留構造体の内部において、空隙２５及び接触部２３の付近でそれぞれ展開されている。このため、凹凸板２０により仕切られた空隙２５の内部に侵入した雨水等が、非接触領域を通じて、矢印Ｙで示す同一平面方向に流動し、他の空隙２５へ流動し易くなる。
【０１２９】
さらに、雨水等貯留構造体は、通水孔２６を有するから、一旦ある空隙２５に流入した雨水等は、通水孔２６を通じて矢印Ｍで示す方向に流動し、矢印Ｚで示す積層方向で隣接する他の空隙２５のそれぞれへ流動し易くなる。
【０１３０】
従って、この種の雨水等貯留構造体を使用する場合に、例えば完全に区画された構造を有する区画枠体を使用する従来技術に比し、限られた貯留空間を効率的に広く利用することができる。
【０１３１】
図２６乃至図３４に示した雨水等貯留構造体は、図１、及び、図２５に示す雨水等貯留設備と同様の雨水等貯留設備を構成できる。この場合も、遮水シートは種々の形態をとり得ることができる。遮水シートの形態は、袋状の遮水シートに雨水等貯留構造体もしくはユニット構造体を収容する形態や、あるいはその他の手段で雨水等貯留構造体の上面を含む全周に遮水シートを設ける形態等をとり得る。
【０１３２】
以上、好ましい実施例を参照して本発明の内容を具体的に説明したが、本発明の基本的技術思想、及び、教示に基づいて、当業者であれば、種々の変形態様を採り得ることは自明である。
【０１３３】
【発明の効果】
以上述べたように、本発明によれば次のような効果を得ることができる。
（Ａ）雨水等貯留設備の上面から雨水等が溢れ出るのを防止しうる雨水等貯留設備を提供することができる。
（Ｂ）雨水等貯留設備の上部地表面がぬかるんだり変形や水溜りを生じさせない雨水等貯留設備を提供することができる。
【図面の簡単な説明】
【図１】本発明に係る雨水等貯留設備の一実施例を示す断面図である。
【図２】図１に図示した雨水等貯留設備に用いる構造体ユニットおよび袋状の遮水シートを示す斜視図である。
【図３】本発明に係る雨水等貯留設備に用いる雨水等貯留構造体の一実施例を示す斜視図である。
【図４】図３に示した雨水等貯留構造体の平面図である。
【図５】図３に示した雨水等貯留構造体の側面図である。
【図６】図３に示した雨水等貯留構造体の正面図である。
【図７】更に面板部材を含む雨水等貯留構造体の斜視図である。
【図８】図７に示した雨水等貯留構造体の平面図である。
【図９】図７に示した雨水等貯留構造体の側面図である。
【図１０】図７に示した雨水等貯留構造体について、さらに面板部材を含む分解構造図である。
【図１１】図１０に示す面板部材の斜視図である。
【図１２】図１１に示した面板部材の正面図である。
【図１３】図１１に示した面板部材の側面図である。
【図１４】図１１に示した面板部材の異なる実施例を示す正面図である。
【図１５】図１４に示した面板部材の側面図である。
【図１６】本発明に係る雨水等貯留設備に用いる凹凸板の他の実施例を示す斜視図である。
【図１７】図１６に示した凹凸板の正面図である。
【図１８】図１６に示した凹凸板の側面図である。
【図１９】図１６乃至図１８に示した凹凸板を含む雨水等貯留構造体の斜視図である。
【図２０】図１９に示した雨水等貯留構造体の平面図である。
【図２１】図１９に示した雨水等貯留構造体の側面図である。
【図２２】図１６乃至図１８に示した凹凸板を含む雨水等貯留構造体の別の実施例を示す斜視図である。
【図２３】図２２に示した雨水等貯留構造体の平面図である。
【図２４】図２２に示した雨水等貯留構造体の側面図である。
【図２５】図１６乃至図２４に示した凹凸板、もしくは雨水等貯留構造体を含む雨水等貯留設備の断面図である。
【図２６】本発明に係る雨水等貯留設備に用いる更に別の雨水等貯留構造体を示す斜視図である。
【図２７】図２６に示した雨水等貯留構造体の一部分解構造図である。
【図２８】図２６に示した雨水等貯留構造体の別の実施例を示す一部分解構造図である。
【図２９】本発明に係る雨水等貯留設備に用いる更に別の雨水等貯留構造体の一部を省略した斜視図である。
【図３０】図２９に示した雨水等貯留構造体の正面図である。
【図３１】図２９に示した雨水等貯留構造体の平面図である。
【図３２】図３１に示した雨水等貯留構造体の４−４線に沿った断面図である。
【図３３】図３１に示した雨水等貯留構造体の５−５線に沿った断面図である。
【図３４】図３１に示した雨水等貯留構造体の６−６線に沿った断面図である。
【符号の説明】
１０        雨水等貯留構造体
１００      ユニット構造体
２０        凹凸板
２１        凸部
２２        凹部
２３        接触部
２５        空隙
６０        遮水シート
６６        通水孔
９０        空気流通孔
【図１】
2004360298.tif 000003
【図２】
2004360298.tif 000004
【図３】
2004360298.tif 000005
【図４】
2004360298.tif 000006
【図５】
2004360298.tif 000007
【図６】
2004360298.tif 000008
【図７】
2004360298.tif 000009
【図８】
2004360298.tif 000010
【図９】
2004360298.tif 000011
【図１０】
2004360298.tif 000012
【図１１】
2004360298.tif 000013
【図１２】
2004360298.tif 000014
【図１３】
2004360298.tif 000015
【図１４】
2004360298.tif 000016
【図１５】
2004360298.tif 000017
【図１６】
2004360298.tif 000018
【図１７】
2004360298.tif 000019
【図１８】
2004360298.tif 000020
【図１９】
2004360298.tif 000021
【図２０】
2004360298.tif 000022
【図２１】
2004360298.tif 000023
【図２２】
2004360298.tif 000024
【図２３】
2004360298.tif 000025
【図２４】
2004360298.tif 000026
【図２５】
2004360298.tif 000027
【図２６】
2004360298.tif 000028
【図２７】
2004360298.tif 000029
【図２８】
2004360298.tif 000030
【図２９】
2004360298.tif 000031
【図３０】
2004360298.tif 000032
【図３１】
2004360298.tif 000033
【図３２】
2004360298.tif 000034
【図３３】
2004360298.tif 000035
【図３４】
2004360298.tif 000036